(57)【要約】  本発明は、複数のビームレベルを有する電子デバイスによって実行されるコードブック設定の選択方法及び電子デバイスを提供する。前記方法は、前記電子デバイスの使用するビームレベルが、前記複数のビームレベルのうち第１のビームレベルから第２のビームレベルに変更される際に、前記電子デバイスの使用可能なビームにのうち候補ビーム及び前記第２のビームレベルの親コードブックを特定することと、前記候補ビームに対する検出結果に従って、前記第２のビームレベルの親コードブックからコードブック設定を選択することと、を含み、前記第２のビームレベルの親コードブックは、前記第１のビームレベルの親コードブックに対してスケーリングして得られたものである。
2019521559.tif 000002
【特許請求の範囲】
【請求項１】
複数のビームレベルを有する電子デバイスによって実行されるコードブック設定の選択方法であって、
前記電子デバイスの使用するビームレベルが、前記複数のビームレベルのうち第１のビームレベルから第２のビームレベルに変更される際に、前記電子デバイスの使用可能なビームのうち候補ビーム及び前記第２のビームレベルの親コードブックを特定することと、
前記候補ビームに対する検出結果に従って、前記第２のビームレベルの親コードブックからコードブック設定を選択することを含み、
前記第２のビームレベルの親コードブックは、前記第１のビームレベルの親コードブックに対してスケーリングして得られたものである方法。
【請求項２】
特定された候補ビームを指示する候補ビームインデックスを取得することをさらに含み、
前記候補ビームインデックスは、基礎インデックス及びインデックスシフトを含み、
前記基礎インデックスは、前記第１のビームレベルにおける基礎ビームの位置を指示するものであり、
前記インデックスシフトは、前記基礎ビームの位置に対するシフトを指示するものである前記請求項１に記載の方法。
【請求項３】
前記第２のビームレベルの親コードブックは、前記第１のビームレベルの親コードブックに対して水平及び／又は垂直方向にスケーリングして得られたものである前記請求項１に記載の方法。
【請求項４】
前記第２のビームレベルに含まれるアンテナポート数が、前記第１のビームレベルに含まれるアンテナポート数よりも多い場合、前記第２のビームレベルの親コードブックは、前記第１のビームレベルの親コードブックに対して水平及び／又は垂直方向に拡張して得られたものであり、
前記第２のビームレベルに含まれるアンテナポート数が、前記第１のビームレベルに含まれるアンテナポート数よりも少ない場合、前記第２のビームレベルの親コードブックは、前記第１のビームレベルの親コードブックに対して水平及び／又は垂直方向に削減して得られたものである前記請求項３に記載の方法。
【請求項５】
前記第２のビームレベルに含まれるアンテナポート数が前記第１のビームレベルに含まれるアンテナポート数よりも多いか少ないかを指示するレベル指示パラメーターを特定することと、
前記第２のビームレベルの親コードブックが前記第１のビームレベルの親コードブックに対して水平方向または垂直方向のどちらにスケーリングを行うかを指示する方向指示パラメーターを特定することと、をさらに含む前記請求項４に記載の方法。
【請求項６】
前記第１のビームレベルの親コードブックに対応する全てのビームによってカバーされる面積は、前記第２のビームレベルの親コードブックに対応する全てのビームによってカバーされる面積と同じである前記請求項１に記載の方法。
【請求項７】
前記第２のビームレベルの親コードブックに含まれるコードブック設定のうちの特定のコードブック設定は、前記第１のビームレベルの親コードブックと同じである前記請求項１に記載の方法。
【請求項８】
前記候補ビームに対する検出結果に従って、前記第２のビームレベルの親コードブックからコードブック設定を選択する前に、
前記特定のコードブック設定を、第２のビームレベルに変更した後の初期コードブック設定として選択することと、
特定された第２のビームレベルの親コードブックをロードすることと、
をさらに含み、
前記候補ビームに対する検出結果に従って、前記第２のビームレベルの親コードブックからコードブック設定を選択することは、
前記候補ビームに対する検出結果に従って、ロードされた第２のビームレベルの親コードブックからコードブック設定を選択して前記初期コードブック設定を置き換えることを含む、
前記請求項７に記載の方法。
【請求項９】
前記第２のビームレベルに含まれるアンテナポート数は、前記第１のビームレベルに含まれるアンテナポート数よりも多く、
前記第２のビームレベルの親コードブックに含まれる各コードブック設定の少なくとも一部は、前記第１のビームレベルの親コードブックに含まれるコードブック設定に対して水平及び／又は垂直方向に拡張して得られたものである前記請求項１に記載の方法。
【請求項１０】
複数のビームレベルを有する電子デバイスであって、
前記電子デバイスの使用するビームレベルが、前記複数のビームレベルのうち第１のビームレベルから第２のビームレベルに変更される際に、前記電子デバイスの使用可能なビームのうち候補ビーム及び前記第２のビームレベルの親コードブックを特定するように配置される親コードブック特定部と、
前記候補ビームに対する検出結果に従って、前記第２のビームレベルの親コードブックからコードブック設定を選択するように配置されるコードブック設定選択部と、
を備え、
前記第２のビームレベルの親コードブックは、前記第１のビームレベルの親コードブックに対してスケーリングして得られたものである電子デバイス。
【請求項１１】
特定された候補ビームを指示する候補ビームインデックスを取得するように配置されるインデックス取得部をさらに備え、
前記候補ビームインデックスは、基礎インデックス及びインデックスシフトを含み、
前記基礎インデックスは、前記第１のビームレベルにおける基礎ビームの位置を指示するものであり、
前記インデックスシフトは、前記基礎ビームの位置に対するシフトを指示するものである前記請求項１０に記載の電子デバイス。
【請求項１２】
前記第２のビームレベルの親コードブックは、前記第１のビームレベルの親コードブックに対して水平及び／又は垂直方向にスケーリングして得られたものである前記請求項１０に記載の電子デバイス。
【請求項１３】
前記第２のビームレベルに含まれるアンテナポート数が前記第１のビームレベルに含まれるアンテナポート数よりも多い場合、前記第２のビームレベルの親コードブックは、前記第１のビームレベルの親コードブックに対して水平及び／又は垂直方向に拡張して得られたものであり、
前記第２のビームレベルに含まれるアンテナポート数が前記第１のビームレベルに含まれるアンテナポート数よりも少ない場合、前記第２のビームレベルの親コードブックは、前記第１のビームレベルの親コードブックに対して水平及び／又は垂直方向に削減して得られたものである、前記請求項１２に記載の電子デバイス。
【請求項１４】
前記第２のビームレベルに含まれるアンテナポート数が前記第１のビームレベルに含まれるアンテナポート数よりも多いか少ないかを指示するレベル指示パラメーターを特定するように配置されるレベル特定部と、
前記第２のビームレベルの親コードブックが前記第１のビームレベルの親コードブックに対して水平方向または垂直方向のどちらにスケーリングを行うかを指示する方向指示パラメーターを特定するように配置される方向特定部と、をさらに備える前記請求項１３に記載の電子デバイス。
【請求項１５】
前記第２のビームレベルの親コードブックに含まれるコードブック設定のうちの特定のコードブック設定は、前記第１のビームレベルの親コードブックと同じである前記請求項１０に記載の電子デバイス。
【請求項１６】
前記候補ビームに対する検出結果に従って、前記第２のビームレベルの親コードブックからコードブック設定を選択する前に、前記特定のコードブック設定を、第２のビームレベルに変更した後の初期コードブック設定として選択するように配置される初期コードブック取得部と、
特定された第２のビームレベルの親コードブックをロードするように配置されるロード部と、をさらに備え、
前記コードブック設定特定部は、前記候補ビームに対する検出結果に従って、ロードされた第２のビームレベルの親コードブックからコードブック設定を選択して前記初期コードブック設定を置き換える前記請求項１５に記載の電子デバイス。
【発明の詳細な説明】
【技術分野】
【０００１】
本発明は、無線通信システムに関し、特に、無線通信システムにおいて電子デバイスによって実行されるコードブック設定の選択方法及び当該方法を実行する電子デバイスに関する。
【背景技術】
【０００２】
従来のＬＴＥ（Ｌｏｎｇ  Ｔｅｒｍ  Ｅｖｏｌｕｔｉｏｎ）などの無線通信システムには、無線基地局（ＢＳ）と移動局（ＵＥ）においてプリコーディングマトリックスコードブックを予め記憶し、且つ、移動局のチャネル状態などに応じて予め記憶したコードブックから、移動局によって使用される、無線基地局と通信を行うコードワードを選択する。予め記憶したコードブックから、移動局によって使用される、無線基地局と通信を行うコードワードを迅速的かつ効果的に選択するために、ＬＴＥの後継となるＬＴＥ−Ａｄｖａｎｃｅｄ（ＬＴＥ−Ａ）などの将来の無線通信システムには、コードブックにおけるコードワードに対して予備絞り込みを行い、そして予備絞り込まれたコードワードから移動局によって使用されるコードワードをさらに選択する方法が提案されていた。
【０００３】
また、各種異なる応用シナリオとの交換性を考慮した上で、プリコーディングマトリックス親コードブック及び親コードブックの異なるコードブック設定を使用して、異なる応用シナリオに対して異なるコードブックを生成することができる。具体的には、無線基地局と移動局において親コードブックを予め記憶しておく。無線基地局は、必要に応じてコードブック設定により無線基地局と移動局の実際のデータ伝送手順において使用可能なコードブックを約定することができ、また、当該コードブック設定は親コードブックのサブセットであってもよい。無線基地局は、移動局がコードブック設定を正しく生成できるように、コードブック設定情報を移動局に送信する。
【０００４】
Ｒｅｌ−１３において、１、２、４、８、１２、１６個のＣＳＩ−ＲＳアンテナポートをサポートするコードブックが提案されていた。一方、Ｒｅｌ−１４において、サポートされるＣＳＩ−ＲＳアンテナポートの数は２０、２４、２８、３２個に達した。よって、Ｒｅｌ−１４の対応するアンテナポート数をサポートするコードブックが必要となる。また、既存技術のコードブックにおいて、異なるアンテナポート数に対するコードブックはそれぞれ独立しており、アンテナポート数の増加に伴い、ＢＳとＵＥの操作の複雑度がさらに増加してしまう。
【発明の概要】
【０００５】
本発明の一方面によれば、複数のビームレベルを有する電子デバイスによって実行されるコードブック設定の選択方法であって、前記電子デバイスの使用するビームレベルが、前記複数のビームレベルのうち第１のビームレベルから第２のビームレベルに変更される際に、前記電子デバイスの使用可能なビームから候補ビーム及び前記第２のビームレベルの親コードブックを特定することと、前記候補ビームに対する検出結果に従って、前記第２のビームレベルの親コードブックからコードブック設定を選択すること、を含み、前記第２のビームレベルの親コードブックが前記第１のビームレベルの親コードブックに対してスケーリングして得られたものである方法、を提供する。
【０００６】
本発明の他の一方面によれば、複数のビームレベルを有する電子デバイスであって、前記電子デバイスの使用するビームレベルが、前記複数のビームレベルのうち第１のビームレベルから第２のビームレベルに変更される際に、前記電子デバイスの使用可能なビームのうち候補ビーム及び前記第２のビームレベルの親コードブックを特定するように配置される親コードブック特定部と、前記候補ビームに対する検出結果に従って、前記第２のビームレベルの親コードブックからコードブック設定を選択するように配置されるコードブック設定選択部とを備え、前記第２のビームレベルの親コードブックは、前記第１のビームレベルの親コードブックに対してスケーリングして得られたものである電子デバイス、を提供する。
【０００７】
本発明の上記方面によるコードブック設定の選択方法及び電子デバイスでは、コードブックを提供し、該コードブックは、Ｒｅｌ−１４のアンテナポート数をサポートするだけではなく、アンテナポート数に対する後方互換性（Ｒｅｌ−１３から円滑に拡張できる）及び前方互換性（さらに拡張でき、後継のＲｅｌｅａｓｅに備える）を有し、且つ、通信ネットワークにおいて異なるＲｅｌｅａｓｅで動作するＵＥのことを考え入れる。
【図面の簡単な説明】
【０００８】
以下、図面を参照しながら詳細に説明することにより、本発明のいくつかの実施例の上記及びその他の方面、特徴、長所がより明らかになる。
【０００９】
【図１】本発明の実施例による電子デバイスによって実行されるコードブック設定の選択方法のフローチャートである。
【図２】本発明の実施例による、ビームレベルがそれぞれ１６、３２個のアンテナポートに対応するレベル２とレベル３である時、電子デバイスの使用可能なビームから候補ビームを特定することを示すビームラスターグラフィックスである。
【図３】本発明の実施例による、アンテナポートの異なるレベルに対応する親コードブックを示す模式図である。
【図４】本発明の実施例による、８、１６及び３２個のアンテナポートにそれぞれ対応するビームレベル１、ビームレベル２及びビームレベル３のコードブック設定に対する設計である。
【図５】本発明の実施例による電子デバイスのブロック図である。
【発明を実施するための形態】
【００１０】
以下、図面を参照しながら、本発明の実施形態を説明する。図面を参照しながら以下のように説明することで、請求の範囲及びその等価物によって限定される本発明の例示的な実施形態に対する理解を助ける。これらは、理解を助けるための各種の具体的な詳細を含むが、それらは例示的なものに過ぎないと認識しなければならない。よって、ここで説明する実施形態は対して、本開示の範囲と精神から逸脱することなく各種の変化及び変更を加えることができることは、当業者にとって明らかなことである。また、明細書をより明白かつ簡潔にするために、本分野で周知である機能と構造に対する詳細な説明を省略する。
【００１１】
理解しやすくするために、以下の説明において言及される用語を解釈しておく。本発明の実施形態の送信端及び受信端には、共に、予め一つまたは複数の親コードブックを記憶しており、そのうち、各親コードブックには複数のコードワードを含み、各親コードブックのコードブック設定は当該親コードブックのサブセットである。より具体的には、各コードブック設定に含まれるコードワードは、当該コードブック設定が属する親コードブックに含まれるコードワードのサブセットである。親コードブックは、電子デバイス（例えば基地局）において使用されるアンテナビームアレイに対応付けられる。且つ、電子デバイスの使用可能なビームを代表するラスターグラフィックスによって親コードブック及びコードブック設定を示すことができる。
【００１２】
図１は、本発明の実施例による電子デバイスによって実行されるコードブック設定の選択方法のフローチャートである。電子デバイスは、複数のビームレベルを有し、異なるビームレベルは、異なるアンテナポート数に対応する。例えば、８個のアンテナポートがビームレベル１に対応し、１６個のアンテナポートがビームレベル２に対応し、３２個のアンテナポートがビームレベル３に対応する。しかし、以上は例示に過ぎなく、本発明の実施例はこれらに限られない。
【００１３】
電子デバイスの使用するビームレベルが、複数のビームレベルのうち第１のビームレベルから第２のビームレベルに変更される際に、ステップＳ１０１において、電子デバイスの使用可能なビームのうち候補ビーム及び第２のビームレベルの親コードブックを特定する。本発明の一例示によれば、候補ビームインデックスによって候補ビームを指示することができる。ステップＳ１０１において特定された親コードブックは、特定された候補ビームに対応する。電子デバイスは、特定された候補ビームの候補ビームインデックスを取得することができる。例えば、電子デバイスが基地局である場合、基地局は、特定された候補ビームに対応する候補ビームインデックスを生成することができる。また、例えば、電子デバイスが移動局である場合、移動局は、基地局から送信される制御シグナリングを受信して候補ビームインデックスを取得することができる。
【００１４】
図２は、本発明の実施例による、ビームレベルがそれぞれ１６、３２個のアンテナポートに対応するレベル２とレベル３である時、電子デバイスの使用可能なビームから候補ビームを特定することを示すビームラスターグラフィックスである。図２に示す例示には、第１のビームレベルは１６個のアンテナポートに対応するビームレベル２であり、第２のビームレベルは３２個のアンテナポートに対応するビームレベル３である。図２におけるラスター２１０は、電子デバイスがビームレベル２で使用可能なビームを示す。図２におけるラスター２２０は、電子デバイスがビームレベル３で使用可能なビームを示す。
【００１５】
図２に示す例示には、電子デバイスが基地局であることを例に説明するが、本発明はこれに限られない。図２に示すように、レベル２のアンテナビームを使用して通信を行う時、基地局は、ラスター２１０の破線ボックスに示す８個のラスターで代表されるアンテナビームを使用して移動局へデータを送信する。
【００１６】
基地局の使用するビームレベルがビームレベル２からビームレベル３に変更される際に、ステップＳ１０１によれば、基地局のビームレベル３で使用可能なビームのうち（すなわち、ラスター２２０で示されるビームのうち）候補ビーム及び第２のビームレベルの親コードブックを特定する。
【００１７】
本発明の一例示によれば、各ビームレベルの親コードブックに対応する全てのビームによってカバーされる面積は、同じであることが好ましい。通信システムにおいて、基地局によって使用されるアンテナ数が増加する時、単一のビームのカバー面積が小さくなる。従って、各ビームレベルの親コードブックに対応する全てのビームによってカバーされる面積を同じにするために、比較的高ビームレベルを有する（すなわち、より数多くのビームを含むビームレベル）の親コードブックに含まれるビームは、比較的低ビームレベルを有する（すなわち、より数少なくビームを含むビームレベル）の親コードブックに含まれるビームよりも多い。
【００１８】
本例示において、レベル２の親コードブックは、８個のビーム（例えば、ラスター２１０の破線ボックスに示す８個のラスターで代表されるアンテナビーム）を含む一方、レベル３の親コードブックは、１６個のビーム（例えば、ラスター２２０の破線ボックスに示す１６個のラスターで代表されるアンテナビーム）を含み、よって、レベル３の親コードブックに対応する全てのビームによってカバーされる面積は、レベル２の親コードブックに対応する全てのビームによってカバーされる面積と同じになる。
【００１９】
また、基地局の使用するビームレベルがビームレベル２からビームレベル３に変更してから、上記したように、特定された候補ビームの候補ビームインデックスを取得することができる。本発明の一例示によれば、候補ビームインデックスは、絶対的なインデックスであってもよい。その代わり、本発明の他の一例示によれば、候補ビームインデックスは、相対的なインデックスであってもよい。
【００２０】
具体的には、第１のビームレベルから第２のビームレベルに変更される際に、候補ビームインデックスは、候補ビームの絶対的なインデックスであってもよい。絶対的なインデックスは、候補ビームのうちの１番目のビームの、ビームラスターグラフィックスにおける位置であってもよい。例えば、第２のビームレベルにおいて１２組の候補ビームを含む場合、インデックス０、１、２・・・・・・１１のそれぞれを用いて各組の候補ビームを指示することができる。
【００２１】
しかしながら、第１のビームレベルから第２のビームレベルに変更される際に、対応する候補ビームの位置は、それほど大きな変化が起こらない。従って、その代わり、シグナリングオーバーヘッドを節約するために、候補ビームインデックスは、基礎インデックス及びインデックスシフトを含むことができる。基礎インデックスは、第１のビームレベルにおける基礎ビームの位置を指示し、それに、第１のビームレベルから第２のビームレベルに変更される際に、通常、基礎インデックスは変わらないため、基礎インデックスを送信する必要がない。インデックスシフトは、基礎ビームの位置に対するシフトを指示する。当該シフトは、第２のビームレベルにおけるビームを単位としてもよい。例えば、インデックスシフトの取り得る値は、−２、−１、０、１などであってもよい。図２におけるレベル３のラスターグラフィックス２２０を例とすれば、候補ビームがレベル３のラスターグラフィックス２２０における破線ボックスに含まれるビームである場合、対応する候補ビームの位置は、レベル２のラスターグラフィックス２１０における破線ボックスで指示される位置を基礎として、右へ１個のレベル３におけるビームだけ移動した位置を示すことができる。この場合、数値“１”で当該インデックスシフトを指示することができる。
【００２２】
図２における斜線ハッチング部分は、レベル２における第１の候補ビームを示し、８個のラスターを含む。波点ハッチング部は、レベル２における第２候補ビームを示し、同様に、８個のラスターを含む。それに、図２に色が最も濃いハッチング部は、前記二つの隣接する候補ビームインデックスによって特定される候補ビームの間のオーバーラップビームを示す。
【００２３】
図２に示すように、レベル２において、隣接する２組の候補ビームの開始位置の間には、２個のレベル２のビームにおける距離があり、その距離は、４個のレベル３におけるビームに相当する。従って、レベル３において、２ビットを使用してインデックスシフトを示すことができる。例えば、００は−２を示し、０１は−１を示し、１１は０を示し、１０は１を示す。これによって、レベル３において候補ビームのレベル２における基礎ビームに対する位置のシフト距離を指示する。
【００２４】
本発明によれば、第２のビームレベルの親コードブックは、第１のビームレベルの親コードブックに対してスケーリングして得られたものである。
【００２５】
本発明の他の一例示によれば、第２のビームレベルの親コードブックは、第１のビームレベルの親コードブックに対して水平及び／又は垂直方向にスケーリングして得られたものである。
【００２６】
例えば、前記第２のビームレベルに含まれるアンテナポート数が第１のビームレベルに含まれるアンテナポート数よりも多い場合、第２のビームレベルの親コードブックは、第１のビームレベルの親コードブックに対して水平及び／又は垂直方向に拡張して得られたものである。第２のビームレベルに含まれるアンテナポート数が第１のビームレベルに含まれるアンテナポート数よりも少ない場合、第２のビームレベルの親コードブックは、第１のビームレベルの親コードブックに対して水平及び／又は垂直方向に削減して得られたものである。
【００２７】
図３は、本発明の実施例によるアンテナポートの異なるレベルに対応する親コードブックの模式図を示す。図３から分かるように、ビームレベル２の親コードブックは、ビームレベル１の親コードブックに対して水平及び／又は垂直方向に拡張して得られたものであり、ビームレベル３の親コードブックは、ビームレベル２の親コードブックに対して水平及び／又は垂直方向に拡張して得られたものである。その逆に、ビームレベル２の親コードブックは、ビームレベル３の親コードブックに対して水平及び／又は垂直方向に削減して得られたものであり、ビームレベル１の親コードブックは、ビームレベル２の親コードａブックに対して水平及び／又は垂直方向に削減して得られたものである。
【００２８】
具体的には、レベル２ａの親コードブックは、レベル１の親コードブックに対して水平方向に２倍拡張して得られたものであり、レベル２ｂの親コードブックは、レベル１の親コードブックに対して垂直方向に２倍拡張して得られたものである。レベル３ａの親コードブックは、レベル２aの親コードブックに対して水平方向に２倍拡張して得られたものであり、レベル３ｂの親コードブックは、レベル２ａの親コードブックに対して垂直方向に２倍拡張、或いはレベル２ｂの親コードブックに対して水平方向に２倍拡張して得られたものである。逆に、レベル２ａの親コードブックは、レベル３ａの親コードブックに対して水平方向に１／２削減、或いはレベル３ｂの親コードブックに対して垂直方向に１／２削減して得られたものであり、レベル２ｂの親コードブックは、レベル３ｂの親コードブックに対して水平方向に１／２削減して得られたものである。レベル１の親コードブックは、レベル２ａの親コードブックに対して水平方向に１／２削減、或いはレベル２ｂの親コードブックに対して垂直方向に１／２削減して得られたものである。
【００２９】
この場合、電子デバイスは、パラメーターによってビームレベルの変化を指示することもできる。例えば、電子デバイスは、第２のビームレベルに含まれるアンテナポート数が第１のビームレベルに含まれるアンテナポート数よりも多いか少ないかを指示するレベル指示パラメーターを特定することができる。そして、電子デバイスは、第２のビームレベルの親コードブックが第１のビームレベルの親コードブックに対して水平方向又は垂直方向のどちらにスケーリングを行うかを指示する方向指示パラメーターを特定することができる。
【００３０】
下記表１は、レベル指示パラメーター及び方向指示パラメーターの実施例を示す。しかしながら、これらは例示に過ぎなく、本発明の実施例はこれらに限らない。レベル指示パラメーターは、高レベルＢＳ及び低レベルＢＳ（ＵＥ）の交換性の実現に有用であり、円滑的なレベル変更の実現に有用である。方向指示パラメーターは、アンテナ拡張及びコードブック拡張を結合し、オーバーヘッドを相対的に低く保持する。
【００３１】
【表１】
2019521559.tif 000003
【００３２】
例を挙げると、ビームレベルが図３におけるレベル２ａからレベル３ａに変更される際に、電子デバイスは、レベル指示パラメーターを１として特定し、方向指示パラメーターを０として特定することができる。
【００３３】
図１に戻すと、ステップＳ１０２において、電子デバイスは、前記候補ビームに対する検出結果に従って、第２のビームレベルの親コードブックからコードブック設定を選択する。
【００３４】
第１のビームレベルの親コードブックは、第２のビームレベルの親コードブックに含まれるコードブック設定における特定のコードブック設定と同じであってもよい。電子デバイスは、図２のステップＳ１０２を実行する前に、前記特定のコードブック設定を、第２のビームレベルに変更した後の初期コードブック設定として選択し、且つ、特定された第２のビームレベルの親コードブックをロードする。ステップＳ２０２には、候補ビームの検出結果に対して、ロードされた第２のビームレベルの親コードブックからコードブック設定を選択して前記初期コードブック設定を置き換えることを含む。
【００３５】
第２のビームレベルに含まれるアンテナポート数が第１のビームレベルに含まれるアンテナポート数よりも多い場合、第２のビームレベルの親コードブックに含まれる各コードブック設定の少なくとも一部は、前記第１のビームレベルの親コードブックに含まれるコードブック設定に対して水平及び／又は垂直方向に拡張して得られたものである。
【００３６】
図４は、本発明の実施例による、８、１６及び３２個のアンテナポートのそれぞれに対応するビームレベル１、ビームレベル２及びビームレベル３のコードブック設定に対する設計である。図４から分かるように、レベル１の親コードブックは、レベル２ａの親コードブックに含まれるコードブック設定２、レベル２ｂの親コードブックに含まれるコードブック設定４と同じである。レベル２の親コードブックは、レベル３ａの親コードブックに含まれるコードブック設定２、レベル３ｂの親コードブックに含まれるコードブック設定４と同じである。例えば、電子デバイスの使用するビームレベルがレベル２ａからレベル３ａに変更される際に、電子デバイスは、コードブック設定２を、レベル３ａに変更した後の初期コードブック設定として選択し、且つ、特定されたレベル３ａの親コードブックをロードし、前記候補ビームに対する検出結果に従って、ロードされた親コードブックからコードブック設定を選択してコードブック設定２を置き換える。また、例えば、電子デバイスの使用するビームレベルがレベル２ａからレベル３ｂに変更される際に、電子デバイスは、コードブック設定４を、レベル３ｂに変更した後の初期コードブック設定として選択し、且つ、特定されたレベル３ｂの親コードブックをロードし、前記候補ビームに対する検出結果に従って、ロードされた親コードブックからコードブック設定を選択してコードブック設定４を置き換える。これをもとにして類推できる。
【００３７】
図４から分かるように、コードブック設定については、レベル２ａ、２ｂの親コードブックに含まれる各コードブック設定の少なくとも一部は、レベル１の親コードブックに含まれるコードブック設定に対して水平及び／又は垂直方向に拡張して得られたものである。レベル３ａ、３ｂの親コードブックに含まれる各コードブック設定の少なくとも一部は、それぞれレベル２ａ、２ｂの親コードブックに含まれるコードブック設定に対して水平及び／又は垂直方向に拡張して得られたものである。
【００３８】
本発明によるコードブック設定の選択方法では、コードブックを提供し、該コードブックは、Ｒｅｌ−１４のアンテナポート数をサポートすることができることだけではなく、アンテナポート数に対する後方互換性（Ｒｅｌ−１３から円滑に拡張できる）及び前方互換性（さらに拡張でき、後継するＲｅｌｅａｓｅに備える）を有し、さらに、通信ネットワークにおいて異なるＲｅｌｅａｓｅで動作するＵＥを考えいれる。
【００３９】
図５は、本発明の実施例による、複数のビームレベルを有する電子デバイスのブロック図である。図５を参照すると、電子デバイスは、前記電子デバイスの使用するビームレベルが複数のビームレベルの第１のビームレベルから第２のビームレベルに変更される際に、電子デバイスの使用可能なビームのうち候補ビーム及び第２のビームレベルの親コードブックを特定するように配置される親コードブック特定部と、前記候補ビームに対する検出結果に従って、第２のビームレベルの親コードブックからコードブック設定を選択するように配置されるコードブック設定選択部と、を備える。
【００４０】
例えば、本発明の実施例による電子デバイスは、基地局であってもよい。基地局の使用するビームレベルが第１のビームレベルから第２のビームレベルに変更される際に、基地局における親コードブック特定部は、基地局の使用可能なビームのうち候補ビームを選択し、且つ、候補ビームに対応するように、第２のビームレベルの親コードブックを特定し、基地局におけるコードブック設定選択部は、ＵＥによる候補ビームに対する検出結果に従って、第２のビームレベルの親コードブックからコードブック設定を選択する。
【００４１】
また、例えば、本発明の実施例による電子デバイスは、ＵＥであってもよい。ビームレベルが第１のビームレベルから第２のビームレベルに変更される際に、ＵＥの親コードブック特定部は、基地局の通知に従って候補ビーム及び第２のビームレベルの親コードブックを特定し、ＵＥのコードブック設定選択部は、候補ビームに対する検出結果に従って、第２のビームレベルの親コードブックからコードブック設定を選択して基地局にフィードバックする。
【００４２】
本発明の一例示によれば、候補ビームインデックスによって候補ビームを指示することができる。電子デバイスは、特定された候補ビームを指示する候補ビームインデックスを取得するように配置されるインデックス取得部をさらに備えても良い。例えば、電子デバイスが基地局である場合、インデックス取得部は、特定された候補ビームに対応する候補ビームインデックスを生成することができる。また、例えば、電子デバイスが移動局である場合、移動局は、基地局から送信された制御シグナリングを受信して候補ビームインデックスを取得することができる。
【００４３】
本発明の一例示によれば、候補ビームインデックスは、絶対的なインデックスであってもよい。その代わり、本発明の他の一例示によれば、候補ビームインデックスは、相対的なインデックスであってもよい。
【００４４】
具体的には、第１のビームレベルから第２のビームレベルに変更される際に、候補ビームインデックスは、候補ビームの絶対的なインデックスであってもよい。絶対的なインデックスは、候補ビームにおける１番目のビームのビームラスターグラフィックスにおける位置であってもよい。
【００４５】
しかしながら、第１のビームレベルから第２のビームレベルに変更される際に、対応する候補ビームの位置は、それほど大きな変化が発生することはない。従って、その代わり、シグナリングオーバーヘッドを節約するために、候補ビームインデックスは、基礎インデックス及びインデックスシフトを含むことができる。基礎インデックスは、第１のビームレベルにおける基礎ビームの位置を指示し、それに、第１のビームレベルから第２のビームレベルに変更される際に、通常、基礎インデックスは変わらないので、基礎インデックスを送信する必要がない。インデックスシフトは、基礎ビームの位置に対するシフトを指示する。当該シフトは、第２のビームレベルにおけるビームを単位としてもよい。例えば、インデックスシフトの取り得る値は、−２、−１、０、１などであってもよい。
【００４６】
本発明によれば、第２のビームレベルの親コードブックは、第１のビームレベルの親コードブックに対してスケーリングして得られたものである。
【００４７】
本発明の他の一例示によれば、第２のビームレベルの親コードブックは、第１のビームレベルの親コードブックに対して水平及び／又は垂直方向にスケーリングして得られたものである。
【００４８】
例えば、前記第２のビームレベルに含まれるアンテナポート数が第１のビームレベルに含まれるアンテナポート数よりも多い場合、第２のビームレベルの親コードブックは、第１のビームレベルの親コードブックに対して水平及び／又は垂直方向に拡張して得られたものである。第２のビームレベルに含まれるアンテナポート数が第１のビームレベルに含まれるアンテナポート数よりも少ない場合、第２のビームレベルの親コードブックは、第１のビームレベルの親コードブックに対して水平及び／又は垂直方向に削減して得られたものである。
【００４９】
この場合、電子デバイスは、パラメーターによってビームレベルの変化を指示することもできる。例えば、電子デバイスは、第２のビームレベルに含まれるアンテナポート数が第１のビームレベルに含まれるアンテナポート数よりも多いか少ないかを指示するレベル指示パラメーターを特定するように配置されるレベル特定部と、第２のビームレベルの親コードブックが第１のビームレベルの親コードブックに対して水平方向又は垂直方向のどちらにスケーリングするかを指示する方向指示パラメーターを特定するように配置される方向特定部とをさらに備えてもよい。上記の表１は、レベル指示パラメーター及び方向指示パラメーターの実施例を示した。しかしながら、これは例示に過ぎなく、本発明の実施例はこれらに限らない。
【００５０】
本発明の他の一例示によれば、第１のビームレベルの親コードブックは、第２のビームレベルの親コードブックに含まれるコードブック設定のうちの特定のコードブック設定と同じであってもよい。
【００５１】
例えば、電子デバイスは、候補ビームに対する検出結果に従って、第２のビームレベルの親コードブックからコードブック設定を選択する前に、前記特定のコードブック設定を、第２のビームレベルに変更した後の初期コードブック設定として選択するように配置される初期コードブック取得部をさらに備えてもよい。電子デバイスは、特定された第２のビームレベルの親コードブックをロードするように配置されるロード部をさらに備えてもよい。ここで、コードブック設定部は、候補ビームに対する検出結果に従って、ロードされた第２のビームレベルの親コードブックからコードブック設定を選択して前記初期コードブック設定を置き換える。
【００５２】
本発明による電子デバイスでは、コードブックを提供し、該コードブックは、Ｒｅｌ−１４のアンテナポート数をサポートできることだけではなく、アンテナポート数の後方互換性（Ｒｅｌ−１３から円滑的に拡張できる）及び前方互換性（さらに拡張でき、後継のＲｅｌｅａｓｅに備える）を有しており、且つ、通信ネットワークにおいて異なるＲｅｌｅａｓｅで動作するＵＥを考え入れる。
【００５３】
当業者にとって、本発明の実施形態で説明したそれぞれのユニット及びステップは、電子ハードウェア、コンピュータソフトウェアまたはこれら両者の組み合わせによって実現されてもよい。それに、ソフトウェアモジュールは、任意の形式のコンピュータ記憶媒体に設けられてもよい。例えば、プロセッサ（例えばＣＰＵ）によって、図５の電子デバイスが備える親コードブック特定部やコードブック設定特定部によって実現される機能を実行することができる。
【００５４】
ハードウェア及びソフトウェアの互換性を明白に説明するために、上記説明において機能毎に一般的に各例示の構成及びステップを説明した。これらの機能は、ハードウェアまたはソフトウェアで実行されるかは、技術案の特定の応用及び設計制限条件に依存する。当業者は、各特定の応用に対して異なる方法を使用して上記の機能を実現することができるが、このような実現は、本発明の範囲を超えると認識してはいけない。
【００５５】
各種実施例を参照して本発明を示して説明したが、当業者によって、請求の範囲及びその等価物によって制限される本発明の精神及び範囲を超えないことなく、これらに対して形式及び詳細について各種の変更を加えることができると理解されるべきである。
【図１】
2019521559.tif 000004
【図２】
2019521559.tif 000005
【図３】
2019521559.tif 000006
【図４】
2019521559.tif 000007
【図５】
2019521559.tif 000008
【国際調査報告】
2019521559.tif 000009
2019521559.tif 000010
2019521559.tif 000011
2019521559.tif 000012